(57)【要約】      （修正有）【課題】地域住民等が高齢者を支援するために必要な情報を入手することを可能とするシステムを、安価で、分かり易く、且つ、水などの影響を受けることなく達成できる識別プレート付きキーホルダーを提供する。【解決手段】高齢者に、支援が必要な状況が生じた場合、支援者がサポートセンターに照会することにより迅速且つ適切な対応を行おうとする福祉サービスシステムにおいて使用される識別プレート付きキーホルダーに次の手段を採用する。耐水性を有する素材で製作され、一方の面に登録表示欄２０及び登録識別番号表示欄２１が、他方の面にサポートセンターの連絡先表示欄及び連絡依頼のお願いメッセージ表示欄が形成された識別紙２と、識別紙２を収納する凹部を有する透明な識別プレート本体３と、凹部を防水状態で遮蔽する透明なプレート蓋体４と、留め具５と、チェーン６とより構成する。【選択図】図１
0003190641.tif 000002
【実用新案登録請求の範囲】
【請求項１】
住所氏名や緊急連絡先や医療機関情報や服薬情報等の高齢者情報を識別番号を付して登録し、該高齢者情報を登録識別番号により照会されたときに回答可能なサポートセンターにて管理し、登録を受けた高齢者には、前記登録識別番号が表示されたキーホルダーを所持してもらい、前記登録を受けた高齢者が、支援を必要とする状況が生じた場合、支援者が前記サポートセンサーに照会することにより速やかに身元確認、緊急連絡先等の高齢者情報を確認でき迅速且つ適切な対応を行おうとする福祉サービスシステムにおいて使用される識別プレート付きキーホルダーであって、
シート状の耐水性を有する素材で製作され、一方の面に登録識別番号表示欄が形成され、他方の面に前記サポートセンターの連絡先表示欄及び連絡依頼のお願いメッセージ表示欄が形成された識別紙と、該識別紙を収納する凹部を有する透明な識別プレート本体と
この識別プレート本体の凹部を防水状態で遮蔽する透明なプレート蓋体と、前記登録を受けた高齢者の持ち物に取り付けるための留め具と、該留め具と前記識別プレート本体とを連結するチェーンと、
よりなる識別プレート付きキーホルダー。
【考案の詳細な説明】
【技術分野】
【０００１】
本考案は、高齢者が、自宅は勿論、外出先で支援が必要となった場合などに、支援者が速やかに身元確認、緊急連絡先等の高齢者情報を、該情報を所有するサポートセンサーに照会可能とする識別プレート付きキーホルダーであって、高齢者が安心して生活し、外出できるシステムを構築するためのキーホルダーである。
【背景技術】
【０００２】
従来より、特許文献１に示されるように、高齢者支援システムは、高齢者宅を監視することにより行おうとするシステムが多かった。特許文献１における高齢者支援システムでは、高齢者宅に配達されたICタグが添付された新聞などをICタグ検出器にて検出し、新聞の放置状態をモニターし、高齢者の健康状態を監視することを目的とするシステムであった。
【０００３】
しかし、高齢者は、このような自宅だけの支援ではなく、高齢者が安心して外出できるシステムを望むものである。勿論、高齢者の外出支援システムは特許文献２に現れるように存在した。しかし、これらのシステムの多くは、高額な費用を要するものであって、外出支援システムなどでは、GPS受信機や地図情報データベースなどを備える必要があるものであった。
【先行技術文献】
【特許文献】
【０００４】
【特許文献１】特開２００５−２３６６８１号公開特許公報
【特許文献２】特開２００２−２６７４６３号公開特許公報
【考案の概要】
【考案が解決しようとする課題】
【０００５】
上記のような高齢者支援のサービスは地域住民の協力により、より安価に提供できなければこれからの高齢化社会に対応できるものとはならない。本考案が解決しようとする課題は、高齢者が、自宅は勿論、外出先で要介護状態となった場合などに、地域住民等が高齢者を支援するために必要な情報を入手することを可能とするシステムを、安価で、分かり易く、且つ、水などの影響から守ることができる状態で達成できる識別プレート付きキーホルダーを提供することである。
【課題を解決するための手段】
【０００６】
上記課題を解決するため、キーホルダーに次の手段を採用する。
第１に、住所氏名や緊急連絡先や医療機関情報や服薬情報等の高齢者情報を識別番号を付して登録し、該高齢者情報を登録識別番号により照会されたときに回答可能なサポートセンターにて管理し、登録を受けた高齢者には、前記登録識別番号が表示されたキーホルダーを所持してもらい、前記登録を受けた高齢者が、支援を必要とする状況が生じた場合、支援者が前記サポートセンターに照会することにより速やかに身元確認、緊急連絡先等の高齢者情報を確認でき迅速且つ適切な対応を行おうとする福祉サービスシステムにおいて使用される識別プレート付きキーホルダーとする。
【０００７】
第２に、シート状の耐水性を有する素材で製作され、一方の面に登録識別番号表示欄が形成され、他方の面に前記サポートセンターの連絡先表示欄及び連絡依頼のお願いメッセージ表示欄が形成された識別紙と、該識別紙を収納する凹部を有する透明な識別プレート本体と、この識別プレート本体の凹部を防水状態で遮蔽する透明なプレート蓋体と、登録を受けた高齢者の持ち物に取り付けるための留め具と、該留め具と前記識別プレート本体とを連結するチェーンと、よりなる識別プレート付きキーホルダーとする。
【考案の効果】
【０００８】
本考案に係るキーホルダーを持ち物に取り付けておけば、高齢者にとっては、自分の支援に必要な情報を支援者が容易に知ることが可能となるので安心して生活を送ることができる上、支援者にとっては、問い合わせるための登録識別番号を容易に知ることができるので円滑に支援活動を行うことが可能となる。
【０００９】
更に、本考案は、登録識別番号等必要情報の記載された識別紙を透明な識別プレート本体内に収納するものであり、キーホルダーに直接印刷するものではないので、使用による劣化が少なく、且つ、防水状態を確保できる透明なプレート蓋体を用いて遮蔽するので外出の際に雨水などで濡れた場合でも識別紙に記載された情報を損失することを防ぐことが可能となった。
【図面の簡単な説明】
【００１０】
【図１】識別プレート付きキーホルダーの実施例を示す説明図
【図２】識別紙の実施例を示す説明図で、（A）は表面図で、（B）は裏面図である。
【考案を実施するための形態】
【００１１】
以下、図面に従って、実施例と共に本考案を実施するための形態について説明する。
図１は、本考案に係る識別プレート付きキーホルダーの一実施例を示す説明図で、符号１はキーホルダーであり、キーホルダー１は、情報の記載される識別紙２と、識別紙２を収納する識別プレート本体３と、プレート蓋体４と、留め具５と、留め具５を識別プレート本体３に連結しておくためのチェーン６とによりなる。
【００１２】
識別紙２は、シート状の耐水性を有する素材で製作される。実施例では防水加工された紙が用いられている。識別紙２の一方の面、図２（Ａ）に示される表面には、キーホルダー１の所有者が、必要情報である住所氏名や緊急連絡先や医療機関情報や服薬情報等の高齢者情報がサポートセンターに登録されている旨を表示する登録表示欄２０と、所有者の情報を検索するための登録番号を表示する登録識別番号表示欄２１が形成されている。
【００１３】
識別紙２の他方の面、図２（Ｂ）に示される裏面には、前記サポートセンターの名称や電話番号等の連絡先表示欄２２及び連絡依頼のお願いメッセージ表示欄２３が形成されている。
【００１４】
識別紙２が収納される識別プレート本体３は、収納された識別紙２の各表示欄２０，２１，２２，２３が見えるよう透明素材で製作され、一方の面に識別紙２を収納するための収納凹部が形成されている。実施例では透明な合成樹脂で製作されている。
【００１５】
図１中符号４は、識別プレート本体３の収納凹部を塞ぐプレート蓋体であり、プレート蓋体４は、識別紙２の表示欄が見えるようにするため透明素材で製作される。プレート蓋体４は、識別プレート本体３の収納凹部に対し、防水遮蔽可能で、容易に脱落する虞のないように装着されている。実施例でのプレート蓋体４は識別プレート本体３と同様、透明な合成樹脂で製作されている。
【００１６】
図１中符号５は留め具であり、符号６は留め具５と識別プレート本体３とを連結しているチェーンである。留め具５及びチェーン６は通常のキーホルダーに用いられる物で良く、本考案独自の構成を必要としない。識別プレート本体３は、チェーン６と留め具５により登録を受けた高齢者の持ち物、例えば杖やベルトに取り付けられる。
【００１７】
識別プレート付きキーホルダー１の使用方法について説明する。
識別プレート付きキーホルダー１が活用できるためには、該キーホルダー１の所有者がサポートセンターに登録されていなければならない。具体的には、住所氏名や緊急連絡先や医療機関情報や服薬情報等の高齢者情報を識別番号を付してサポートセンターのデータベースに登録し管理する。
【００１８】
次に、サポートセンターでは、識別紙２の登録識別番号表示欄２１などの必要事項を記載した識別プレート付きキーホルダー１を製作し、登録を受けた高齢者に、登録識別番号が表示されたキーホルダー１を所持してもらう。
【００１９】
登録を受けた高齢者が、応答できない状態で支援を必要とする状況が生じた場合、地域住民や救急隊及び医療機関及び警察など支援者は、登録を受けた高齢者が所有する識別プレート付きキーホルダー１の存在に気付き、連絡先表示欄２２及びメッセージ表示欄２３に従って、サポートセンターに連絡し、登録識別番号表示欄２１の登録番号により要支援者に関する情報を照会する。
【００２０】
このようにして、速やかに要支援者の身元確認、緊急連絡先等の高齢者情報を確認でき、迅速且つ適切な対応の可能な福祉サービスシステムが確立できる。
【符号の説明】
【００２１】
１・・・・・キーホルダー
２・・・・・識別紙
３・・・・・識別プレート本体
４・・・・・プレート蓋体
５・・・・・留め具
６・・・・・チェーン
２０・・・・登録表示欄
２１・・・・登録識別番号表示欄
２２・・・・連絡先表示欄
２３・・・・メッセージ表示欄
【図１】
0003190641.tif 000003
【図２】
0003190641.tif 000004
【手続補正書】
【提出日】平成26年3月13日(2014.3.13)
【手続補正１】
【補正対象書類名】図面
【補正対象項目名】図２
【補正方法】変更
【補正の内容】
【図２】
0003190641.tif 000005